(57)【要約】      （修正有）【課題】腟などの内壁に効果的に指圧刺激を与えることの出来、感覚鍛練効果が高くなるような全く新しいマッサージ器具を提供する。【解決手段】挿入本体部１０と共に挿入される前記挿入本体部から分岐した分岐部１１を備え、この分岐部は前記挿入本体部に対して屈曲自在に設けられており、前記挿入本体部側には屈曲した前記分岐部を納めるための凹部１２が形成されているものとした。【選択図】図１
2007296299.tif 000002
【特許請求の範囲】
【請求項１】
挿入本体部と共に挿入される前記挿入本体部から分岐した分岐部を備え、この分岐部は前記挿入本体部に対して屈曲自在に設けられており、前記挿入本体部側には屈曲した前記分岐部を納めるための凹部が形成されていることを特徴とするマッサージ器具。
【請求項２】
前記分岐部に振動発生部が納められている、請求項１に記載のマッサージ器具。
【請求項３】
前記挿入本体部に振動発生部が納められている、請求項１に記載のマッサージ器具。
【請求項４】
前記挿入本体部から分岐した陰核刺激部を備えている、請求項１に記載のマッサージ器具。
【請求項５】
前記陰核刺激部に振動発生部が納められている、請求項４に記載のマッサージ器具。
【発明の詳細な説明】
【技術分野】
【０００１】  この発明は、夫婦生活を充実させるべく開発されたハンディータイプのマッサージ器具（感覚鍛練具である）に係り、特に挿入本体部と共に腟のような器官に挿入してこれを内側から指圧するための分岐部を備えているマッサージ器具に関するものである。
【背景技術】
【０００２】  従来より夫婦生活を充実させる性感帯刺激具（感覚鍛練具）として、陰茎を模した形状の腟内に挿入するマッサージ器が各種提案されている。これには例えば単なる棒状のものやその内部にバイブレータ（振動発生部）を内蔵して腟内に振動刺激を加えられるタイプのものなどがある。前記バイブレータは一般的には偏心重錘を有するモータが設けられて成るものであり、このモータに電池とスイッチとが接続されている。さらに前記モータの動きを細かく制御するためのコントローラが設けられたものもある。【０００３】  ところで腟の入り口付近には腟括約筋があり、奥の方は伸縮性に富む袋のような形状をしている。そして興奮期には奥の方が広がることが医学的に知られている。しかしながら腟自体の感覚は他の性感帯と比較してそれほど敏感ではないことが分かっている。従って上記陰茎を模した形状の性感帯刺激具では、特開２００４−３２９８３４号公報にあるようなすり漕ぎ運動などの複雑な運動をする機構を備えたものも提案されている。すなわちこの種マッサージ器は、腟内に挿入する柔軟な素材から成る挿入部とモータや電池やスイッチを納めたハンドル部とから成り、前記モータの回転軸に延設された緩やかなカーブを有する回転杆が前記挿入部内にあり、前記モータの回転に伴なって首を振るような回転を行ない、これが前記挿入部にも首振り運動を生じさせるように構成されている。
【特許文献１】特開２００４−３２９８３４号公報
【発明の開示】
【発明が解決しようとする課題】
【０００４】  しかしながら上述したように腟は単なる筒状のものではなく、その時々の状況によって形状が変化するものであるため、マッサージ器具も単なる棒状のものではその挿入部が腟内壁に接触せずに腟内壁から浮いたような状態となることがある。また上述した腟内に挿入する柔軟な素材から成る挿入部とモータや電池やスイッチを納めたハンドル部とから成るマッサージ器では、前記モータの回転方向への刺激を挿入部を通して腟内壁に伝えようとするものである。これはこれで良いのであるが、しかし挿入部が大きく首を振るようなことは出来ず、必ずしも腟内壁を十分に刺激しているとは言えずマッサージの効果も限定的なものに止まっているように思われる。従って腟内壁に指圧のような刺激を与えることが出来たら、感覚鍛練効果が高くなることは明白である。【０００５】  そこでこの発明は腟などの内壁に効果的に指圧刺激を与えることの出来るような、全く新しいマッサージ器具の提供を課題とする。
【課題を解決するための手段】
【０００６】  この課題を鋭意研究する内に当発明者は、挿入本体部と共に腟内に挿入される前記挿入本体部から分岐した分岐部を備えたものとすれば、この分岐部で腟内壁を確実に刺激出来ると言う着想を得た。しかしながら挿入本体部を腟口に挿入するに当たっては前記分岐部が腟口に引っ掛かると言う問題を生ずる場合があることが新たに見付かった。確かに腟口は伸縮自在であるため、前記分岐部程度のものが通過するには全く問題のない器官ではあるが、それでも違和感が生じてしまうことは否めない。挿入が円滑であるに越したことはないのである。【０００７】  そこでこの発明では、挿入本体部と共に挿入される前記挿入本体部から分岐した分岐部を備え、この分岐部は前記挿入本体部に対して屈曲自在に設けられており、前記挿入本体部側には屈曲した前記分岐部を納めるための凹部が形成されていることを特徴とするマッサージ器具とすることによって、上述した全ての課題を解決している。この分岐部は力が加わると屈曲し、力が掛からなくなると元に戻るように設けられている。また前記凹部は前記分岐部を屈曲させる側に設けられる。例えば前記挿入本体部の先端部を前側として、分岐部を後方に屈曲させるのであれば後側に、分岐部を前方に屈曲させるのであれば前側に、或いはどちらに屈曲させても良いように前後両側に設けるのである。【０００８】  前記挿入本体部から分岐部を分岐させる場合の最大角度は直角であるが、分岐部をどのような角度で設けたとしても通常であれば腟口に引っ掛かってしまう。しかしながらこの発明のマッサージ器具では、分岐部は挿入本体部に対して屈曲自在に設けられているために、腟口への挿入時には分岐部を挿入本体部に添わせて寝た姿勢を取らせることが出来るが、これでもまだ腟口を分岐部が通過する際には腟口を押し広げるような違和感を与えてしまう。ところがこの発明では屈曲した分岐部を納めるための凹部が挿入本体部側に形成されていることにより分岐部が凹部内に逃れるため、上述したような違和感を与えることが殆どなくなるのである。【０００９】  そして円滑に腟内に挿入された前記分岐部は、腟が筒状であれば寝たままの姿勢で腟壁を接触刺激し、腟内壁が広がっていればそれに合わせて起き上がり腟壁を接触刺激することが出来るのである。これは挿入本体部に対する最大角度まで刺激可能であるから、例えば直角に設けられていれば直角まで起き上がるため、その有効性は絶大である。なお腟口から上に３〜５センチの距離にある腟前壁部分にはＧスポットと呼称される重要な性感帯があることが体験的に広く知られているが、前記分岐部はこのＧスポットを刺激することが出来る。【００１０】  次に前記分岐部に振動発生部が納められているものとすることが出来る。振動発生部としてはモータの回転軸に偏心重錘を有するバイブレータが一般的であるが、これに限定されるものではない。前記分岐部は腟壁に接触刺激を与えるが、振動発生部を備えることによりバイブレータとして作用し、更に腟壁を刺激することが出来るのである。【００１１】  次に前記挿入本体部に振動発生部が納められているものとすることが出来る。挿入本体部はこれにより振動を発生するため、腟内への挿入に先立っては腟口の周辺部に振動刺激を与えることが出来るし、挿入後は接触している腟壁部分に、更にはその先端部が子宮口の周辺部に振動刺激を与えることが出来るのである。【００１２】  次に前記挿入本体部から分岐した陰核刺激部を備えているものとすることが出来る。この陰核刺激部は、前記挿入本体部の先端部を前側とすれば、前記分岐部の後方に設けられることになる。そして挿入本体部から分岐部までは腟内に挿入されるが、この陰核刺激部は挿入されずに陰核に対して接触刺激を与えるものである。なお前記陰核刺激部に振動発生部が納められているものとすることが出来る。これによれば陰核に対して更に振動刺激を与えることが出来るのである。
【発明の効果】
【００１３】  この発明のマッサージ器具によれば、腟内壁が広がって挿入本体部が接触しない状況が生じたとしても、挿入本体部から分岐する分岐部が腟内壁に接触刺激を与えることが出来るようになっている。また挿入本体部を腟口へ挿入するに当たっては、分岐部が挿入本体部に添って寝た姿勢を取ると共に挿入本体部に設けられている凹部内に納まるようになっているため、分岐部が邪魔になることもなく腟口を円滑に通過することが出来る。そして腟口を通過した後は分岐部は腟壁の形状に追随して腟壁に接触刺激を与えることが出来るのである。
【発明を実施するための最良の形態】
【００１４】  以下この発明の３種の実施形態を説明するが、この発明はこれ等の実施形態にのみ限定されるものではない。【００１５】  （第１実施形態）
図１及び図２は第１実施形態のマッサージ器具１を縦方向の断面図にて表わしたものである。シリコンゴム製のマッサージ器具１は図面左方が挿入方向であり、挿入本体部１０からはほぼ直角に分岐部１１が突設されており、この分岐部１１の後方（図面右方）には分岐部１１を挿入本体部１０に添うように寝かせた際に、分岐部１１が納まるような凹部１２が形成されている。シリコンゴム製の分岐部１１は挿入本体部１０に対して屈曲自在である。【００１６】  このマッサージ器具１を手で持ち腟口から腟内へ挿入しようとすると分岐部１１が腟口に引っ引っ掛かるが、それでも更に挿入しようとすると分岐部１１に後方への圧力が加わって分岐部１１が矢線の方向に傾斜姿勢を取るようになり、最終的には分岐部１１は凹部１２に納まってしまうのである。この一連の圧力回避動作により分岐部１１は挿入本体部１０共々円滑に腟内に挿入されるのである。また挿入時に親指などを用いて分岐部１１を寝かせ、凹部１２に納めるようにしてから挿入本体部１０共々腟内に挿入するようにしても良い。なお凹部１２の深さに付いては、分岐部１１が挿入本体部１０内に完全に隠れるようにしても良いが、腟口への挿入が円滑に行なわれる範囲であれば図２のように完全に納まらなくても問題はない。【００１７】  こうして腟口を円滑に通過した分岐部１１で腟内壁を確実に刺激することが出来るのである。上述したようにいわゆるＧスポットに刺激を与えることも可能である。【００１８】  （第２実施形態）
次に図３は第２実施形態のマッサージ器具２を先端方向から見た正面図である。上述した第１実施形態のマッサージ器具１とは異なる点が２つある。その一は挿入本体部２０の周りの３回対称の位置に分岐部２１，２１，２１が突設されている点である。各々の分岐部２１の前方（図面左方）には分岐部２１を挿入本体部２０に添うように寝かせた際に、分岐部２１が納まるような凹部２２が形成されている。その二は図３のＸ−Ｘ線断面図である図４から明かとなるように、各々の分岐部２１が挿入本体部２０に対する角度を９０度よりも幾分小さい角度となるように前傾して設けられている点である。【００１９】  このマッサージ器具２の挿入本体部２０を腟口に挿入するに際しては、親指と人差し指とで作る輪で３つの分岐部２１，２１，２１を矢線方向に押さえ付けるようにして各々の分岐部２１を凹部２２に納めるようにするのである。こうすることによって円滑に腟口に挿入することが出来るのである。なおこのマッサージ器具２を腟口から引き出す際には、各々の分岐部２１は夫々の凹部２２に収納された状態で円滑に引き出されることになる。なお分岐部２１の前方への傾斜は、指で分岐部２１を寝かせる際にも腟口から引き出す際にも役に立つことが分かる。【００２０】  なお上述した第１実施形態では凹部１２が分岐部１１の後方（図面右方）に設けられていた。また上述した第２実施形態では凹部２２が分岐部２１の前方（図面左方）に設けられていた。従って更に分岐部の前後方に凹部を設ける構成が可能である。【００２１】  （第３実施形態）
次に図５は第３実施形態のマッサージ器具３の側面図であるが、このマッサージ器具３の特徴は、挿入本体部３０の根元にコントローラ４を兼ねる握り部４０が設けられている点と、挿入本体部３０から分岐した陰核刺激部３３を備えている点と、挿入本体部３０の先端付近と陰核刺激部３３と分岐部３１との中に各々振動発生部５が納められている点とにある。なお分岐部３１は陰核刺激部３３の前方（図面上方）に立設され、その凹部３２は分岐部３１の後方に設けられている。【００２２】  各々の振動発生部５はモータ５０とこの回転軸５１に取り付けられた偏心重錘５２とにより構成されている。モータ５０から出ているリード線５３はコントローラ４に配線されている。このコントローラ４は握り部４０を兼ね、接続部４１にて挿入本体部３０を固定している。またコントローラ４に設けられた蓋部４２から電池の着脱が自由に行なえる。また握り部４０には３つのダイヤル４３，４３，４３が設けられているが、これ等は上述した３つのモータ５０，５０，５０の何れか一に接続されている。ダイヤル４３は図示しないバリオームに付属のものであり、ＯＮ／ＯＦＦスイッチを兼ねるバリオームと電池とモータ５０とがリード線５３によって直列に配線されている。【００２３】  このマッサージ器具３は前記陰核刺激部３３の手前まで腟内に挿入されるものであり、腟口外にある陰核刺激部３３は陰核に刺激を与えるものである。従ってこれより前方にある分岐部３１は腟内に挿入されるが、この際に分岐部３１が屈曲して凹部３２に納まるようになっている。【００２４】  ところでこの実施形態のマッサージ器具３は振動発生部５を備えている。コントローラ４のダイヤル４３を操作すると、ＯＦＦ，ＯＮ弱−強とモータ５０の回転を制御することが出来る。モータ５０をＯＮ状態にすると、偏心重錘５２が回転軸５１に偏って固定されているために振動を発する。この振動は挿入本体部３０の先端部分、分岐部３１、陰核刺激部３３とそれぞれの場所で発生して、外性器や内性器にバイブレーション効果を与えることが出来る。なお陰核刺激部３３は外性器刺激専用であると言うことが出来る。
【産業上の利用可能性】
【００２５】  なお分岐部が挿入本体部に対して着脱自在なものも提供することが可能である。分岐部を屈曲自在に自立させるために分岐部をゴム製のものとすると製造が比較的容易である。しかしながら挿入本体部と分岐部との接続にコイルバネなどのバネ類を用い、外側を例えばラテックスゴムのカバーで覆うなどの構成も自由である。また分岐部をどのような形状や太さや高さのものとするなども任意である。また分岐部に昆虫の触覚のような飾り付を施すことも可能である。
【図面の簡単な説明】
【００２６】
【図１】  この発明の第１実施形態の断面図である。
【図２】  同実施形態の使用状態を説明する断面図である。
【図３】  この発明の第２実施形態を先端方向から見た正面図である。
【図４】  同実施形態のＸ−Ｘ線断面図である。
【図５】  この発明の第３実施形態の側面図である。
【符号の説明】
【００２７】１    マッサージ器具
１０  挿入本体部
１１  分岐部
１２  凹部
２    マッサージ器具
２０  挿入本体部
２１  分岐部
２２  凹部
３    マッサージ器具
３０  挿入本体部
３１  分岐部
３２  凹部
３３  陰核刺激部
４    コントローラ
４０  握り部
４１  接続部
４２  蓋部
４３  ダイヤル
５    振動発生部
５０  モータ
５１  回転軸
５２  偏心重錘
５３  リード線
【図１】
2007296299.tif 000003
【図２】
2007296299.tif 000004
【図３】
2007296299.tif 000005
【図４】
2007296299.tif 000006
【図５】
2007296299.tif 000007